(57)【要約】【課題】関連時刻が同じ複数の物体データからなる検出データ群に含まれる全ての物体データが受信されるタイミングと、データ処理が開始されるタイミングとの関係を考慮した物体認識装置等を得る。【解決手段】物体認識装置は、今回の処理時刻において、検出データ群の中の全ての物体データが受信されておらず、一部の物体データが受信されている状態であれば、一部の物体データについて、相関決定可能とみなすものと、相関決定可能とみなさないものとに分類し、相関決定可能とみなされた物体データと予測データとを個別に対応付けし、相関決定可能とみなされなかった物体データを保留物体データとし、今回の処理時刻以降の次回の処理時刻において、検出データ群の中の残りの物体データが受信されている状態であれば、残りの物体データとともに保留物体データと、予測データとを個別に対応付けする。【選択図】図１
2019207158.tif 000002
【特許請求の範囲】
【請求項１】
関連時刻が同じである複数の物体データからなる検出データ群をセンサから受信し、受信した前記検出データ群に含まれる前記複数の物体データに個別に対応する各物体の航跡データを生成する物体認識装置であって、
前記センサから前記検出データ群を受信し、受信した前記検出データ群に前記関連時刻を関連付けるデータ受信部と、
各物体について、前記関連時刻における前記航跡データの予測値である予測データを生成する予測処理部と、
各物体について、前記関連時刻における前記物体データと前記関連時刻における前記予測データとを個別に対応付ける相関処理部と、
各物体について、前記関連時刻における対応する前記物体データおよび前記予測データを用いて、前記関連時刻における前記航跡データを生成する更新処理部と、
を備え、
前記相関処理部は、
今回の処理時刻において、前記検出データ群の中の全ての物体データが受信されておらず、一部の物体データが受信されている状態であれば、前記一部の物体データについて、相関決定可能とみなすものと、相関決定可能とみなさないものとに分類し、前記相関決定可能とみなされた物体データと前記予測データとを個別に対応付けし、前記相関決定可能とみなされなかった物体データを保留物体データとし、
前記今回の処理時刻以降の次回の処理時刻において、前記検出データ群の中の残りの物体データが受信されている状態であれば、前記残りの物体データとともに前記保留物体データと、前記予測データとを個別に対応付けする
物体認識装置。
【請求項２】
関連時刻が同じである複数の物体データからなる検出データ群をセンサから受信し、受信した前記検出データ群に含まれる前記複数の物体データに個別に対応する各物体の航跡データを生成する物体認識装置であって、
前記センサから前記検出データ群を受信し、受信した前記検出データ群に前記関連時刻を関連付けるデータ受信部と、
各物体について、前記関連時刻における前記航跡データの予測値である予測データを生成する予測処理部と、
各物体について、前記関連時刻における前記物体データと前記関連時刻における前記予測データとを個別に対応付ける相関処理部と、
各物体について、前記関連時刻における対応する前記物体データおよび前記予測データを用いて、前記関連時刻における前記航跡データを生成する更新処理部と、
を備え、
前記相関処理部は、
今回の処理時刻において、前記検出データ群の中の全ての物体データが受信されておらず、一部の物体データが受信されている状態であれば、前記一部の物体データについて、相関決定可能とみなすものと、相関決定可能とみなさないものとに分類し、前記相関決定可能とみなされた物体データと前記予測データとを個別に仮に対応付けし、
前記今回の処理時刻以降の次回の処理時刻において、前記検出データ群の中の残りの物体データが受信されている状態であれば、前記検出データ群の中の全ての物体データと、前記予測データとを個別に対応付けする
物体認識装置。
【請求項３】
前記相関処理部は、
前記予測データに対応する通常のゲートよりも小さい小ゲートを設定し、前記小ゲート内に入る物体データを、相関決定が可能であるとみなす
請求項１または２に記載の物体認識装置。
【請求項４】
前記相関処理部は、
前記予測データに含まれる物体の大きさ情報から、前記小ゲートを設定する
請求項３に記載の物体認識装置。
【請求項５】
前記相関処理部は、
前記予測データに含まれるＩＤと同じＩＤを含む物体データを、相関決定が可能であるとみなす
請求項１から４のいずれか１項に記載の物体認識装置。
【請求項６】
前記相関処理部は、
前記予測データに含まれる種別と同じ種別を含む物体データを、相関決定が可能であるとみなす
請求項１から５のいずれか１項に記載の物体認識装置。
【請求項７】
前記相関処理部は、
前記予測データに対応する物体から自車までの距離が設定閾値以内である、前記予測データに対応する物体に前記自車が衝突するまでの衝突予測時間が設定閾値以内である、あるいは、前記自車に搭載される車両制御装置のシステム優先度が設定閾値以上である、物体データを、相関決定が可能であるとみなす
請求項１から６のいずれか１項に記載の物体認識装置。
【請求項８】
前記相関処理部は、
物体種類識別結果、センサ種類、物体データ信頼度、物体データ検出時間および補間回数のいずれかに基づいて、物体データを、相関決定が可能であるとみなす
請求項１から７のいずれか１項に記載の物体認識装置。
【請求項９】
関連時刻が同じである複数の物体データからなる検出データ群をセンサから受信し、受信した前記検出データ群に含まれる前記複数の物体データに個別に対応する各物体の航跡データを生成する物体認識方法であって、
前記センサから前記検出データ群を受信し、受信した前記検出データ群に前記関連時刻を関連付けるデータ受信ステップと、
各物体について、前記関連時刻における前記航跡データの予測値である予測データを生成する予測処理ステップと、
各物体について、前記関連時刻における前記物体データと前記関連時刻における前記予測データとを個別に対応付ける相関処理ステップと、
各物体について、前記関連時刻における対応する前記物体データおよび前記予測データを用いて、前記関連時刻における前記航跡データを生成する更新処理ステップと、
を備え、
前記相関処理ステップでは、
今回の処理時刻において、前記検出データ群の中の全ての物体データが受信されておらず、一部の物体データが受信されている状態であれば、前記一部の物体データについて、相関決定可能とみなすものと、相関決定可能とみなさないものとに分類し、前記相関決定可能とみなされた物体データと前記予測データとを個別に対応付けし、前記相関決定可能とみなされなかった物体データを保留物体データとし、
前記今回の処理時刻以降の次回の処理時刻において、前記検出データ群の中の残りの物体データが受信されている状態であれば、前記残りの物体データとともに前記保留物体データと、前記予測データとを個別に対応付けする
物体認識方法。
【請求項１０】
関連時刻が同じである複数の物体データからなる検出データ群をセンサから受信し、受信した前記検出データ群に含まれる前記複数の物体データに個別に対応する各物体の航跡データを生成する物体認識方法であって、
前記センサから前記検出データ群を受信し、受信した前記検出データ群に前記関連時刻を関連付けるデータ受信ステップと、
各物体について、前記関連時刻における前記航跡データの予測値である予測データを生成する予測処理ステップと、
各物体について、前記関連時刻における前記物体データと前記関連時刻における前記予測データとを個別に対応付ける相関処理ステップと、
各物体について、前記関連時刻における対応する前記物体データおよび前記予測データを用いて、前記関連時刻における前記航跡データを生成する更新処理ステップと、
を備え、
前記相関処理ステップでは、
今回の処理時刻において、前記検出データ群の中の全ての物体データが受信されておらず、一部の物体データが受信されている状態であれば、前記一部の物体データについて、相関決定可能とみなすものと、相関決定可能とみなさないものとに分類し、前記相関決定可能とみなされた物体データと前記予測データとを個別に仮に対応付けし、
前記今回の処理時刻以降の次回の処理時刻において、前記検出データ群の中の残りの物体データが受信されている状態であれば、前記検出データ群の中の全ての物体データと、前記予測データとを個別に対応付けする
物体認識方法。
【発明の詳細な説明】
【技術分野】
【０００１】
本発明は、自車に搭載した単数または複数のセンサから受信した物体データを処理する物体認識装置および物体認識方法に関する。
【背景技術】
【０００２】
従来の物体認識装置（例えば、特許文献１参照）は、自車に搭載され、物体の状態に関する情報を物体データとして検出する単数または複数のセンサから受信した物体データを処理することで、自車の周辺物体を認識するように構成されている。具体的には、特許文献１に記載の物体認識装置は、今回の処理時刻において、前回の処理時刻から今回の処理時刻までの期間に受信された物体データごとに関連時刻を関連付け、このような物体データを処理することによって、今回の処理時刻での物体の状態値を推定するように構成されている。
【０００３】
上述した物体認識装置の適用例として、自動運転システム等の車両制御システムが挙げられる。車両制御システムは、物体認識装置が物体を認識した結果を用いて、自動ブレーキ、車間維持制御などの様々な車両制御を行うように構成されている。
【先行技術文献】
【特許文献】
【０００４】
【特許文献１】特許第６１６９１４６号公報
【発明の概要】
【発明が解決しようとする課題】
【０００５】
ここで、特許文献１では、関連時刻が同じ複数の物体データからなる検出データ群に含まれる全ての物体データを物体認識装置が受信するタイミングと、物体認識装置がデータ処理を開始するタイミングとの関係について特に言及されていない。したがって、このような関係を考慮して、物体認識装置の構成をより工夫する余地がある。
【０００６】
本発明は、上記を鑑みてなされたものであり、関連時刻が同じ複数の物体データからなる検出データ群に含まれる全ての物体データが受信されるタイミングと、データ処理が開始されるタイミングとの関係を考慮した物体認識装置および物体認識方法を得ることを目的とする。
【課題を解決するための手段】
【０００７】
本発明における物体認識装置は、関連時刻が同じである複数の物体データからなる検出データ群をセンサから受信し、受信した検出データ群に含まれる複数の物体データに個別に対応する各物体の航跡データを生成する物体認識装置であって、センサから検出データ群を受信し、受信した検出データ群に関連時刻を関連付けるデータ受信部と、各物体について、関連時刻における航跡データの予測値である予測データを生成する予測処理部と、各物体について、関連時刻における物体データと関連時刻における予測データとを個別に対応付ける相関処理部と、各物体について、関連時刻における対応する物体データおよび予測データを用いて、関連時刻における航跡データを生成する更新処理部と、を備え、相関処理部は、今回の処理時刻において、検出データ群の中の全ての物体データが受信されておらず、一部の物体データが受信されている状態であれば、一部の物体データについて、相関決定可能とみなすものと、相関決定可能とみなさないものとに分類し、相関決定可能とみなされた物体データと予測データとを個別に対応付けし、相関決定可能とみなされなかった物体データを保留物体データとし、今回の処理時刻以降の次回の処理時刻において、検出データ群の中の残りの物体データが受信されている状態であれば、残りの物体データとともに保留物体データと、予測データとを個別に対応付けするものである。
【０００８】
本発明における物体認識方法は、関連時刻が同じである複数の物体データからなる検出データ群をセンサから受信し、受信した検出データ群に含まれる複数の物体データに個別に対応する各物体の航跡データを生成する物体認識方法であって、センサから検出データ群を受信し、受信した検出データ群に関連時刻を関連付けるデータ受信ステップと、各物体について、関連時刻における航跡データの予測値である予測データを生成する予測処理ステップと、各物体について、関連時刻における物体データと関連時刻における予測データとを個別に対応付ける相関処理ステップと、各物体について、関連時刻における対応する物体データおよび予測データを用いて、関連時刻における航跡データを生成する更新処理ステップと、を備え、相関処理ステップでは、今回の処理時刻において、検出データ群の中の全ての物体データが受信されておらず、一部の物体データが受信されている状態であれば、一部の物体データについて、相関決定可能とみなすものと、相関決定可能とみなさないものとに分類し、相関決定可能とみなされた物体データと予測データとを個別に対応付けし、相関決定可能とみなされなかった物体データを保留物体データとし、今回の処理時刻以降の次回の処理時刻において、検出データ群の中の残りの物体データが受信されている状態であれば、残りの物体データとともに保留物体データと、予測データとを個別に対応付けするものである。
【発明の効果】
【０００９】
本発明によれば、関連時刻が同じ複数の物体データからなる検出データ群に含まれる全ての物体データが受信されるタイミングと、データ処理が開始されるタイミングとの関係を考慮した物体認識装置および物体認識方法を得ることができる。
【図面の簡単な説明】
【００１０】
【図１】本発明の実施の形態１における物体認識装置を備えた車両制御システムの構成を示すブロック図である。
【図２】本発明の実施の形態１における物体認識装置が検出データ群に含まれる全ての物体データを受信するタイミングと、物体認識装置がデータ処理を開始するタイミングとの関係を示す説明図である。
【図３】本発明の実施の形態１における物体認識装置によって行われるデータ処理の一連の動作を示すフローチャートである。
【図４Ａ】本発明の実施の形態１における物体データの受信と相関決定の第１のパターンを示す説明図である。
【図４Ｂ】本発明の実施の形態１における物体データの受信と相関決定の第２のパターンを示す説明図である。
【図４Ｃ】本発明の実施の形態１における物体データの受信と相関決定の第３のパターンを示す説明図である。
【図４Ｄ】本発明の実施の形態１における物体データの受信と相関決定の第４のパターンを示す説明図である。
【図４Ｅ】本発明の実施の形態１における物体データの受信と相関決定の第５のパターンを示す説明図である。
【図４Ｆ】本発明の実施の形態１における物体データの受信と相関決定の第６のパターンを示す説明図である。
【図５】本発明の実施の形態２における物体認識装置によって行われるデータ処理の一連の動作を示すフローチャートである。
【発明を実施するための形態】
【００１１】
以下、本発明による物体認識装置および物体認識方法を、好適な実施の形態にしたがって図面を用いて説明する。なお、図面の説明においては、同一部分または相当部分には同一符号を付し、重複する説明を省略する。
【００１２】
実施の形態１．
図１は、本発明の実施の形態１における物体認識装置３を備えた車両制御システムの構成を示すブロック図である。
【００１３】
図１において、車両制御システムは、Ｎ個（Ｎは２以上の整数）のセンサ１と、車両情報センサ２と、物体認識装置３と、情報報知装置４と、車両制御装置５とを備える。なお、図１では、Ｎ個のセンサ１の符号「１」の末尾にそれぞれ（１），・・・，（Ｎ）を付して、Ｎ個のセンサ１を区別して表記している。
【００１４】
センサ１は、自車に搭載されている。センサ１は、検出可能な範囲に存在する自車周辺の物体に関する情報を、物体データとして検出し、その物体データを物体認識装置３に送信する。物体データには、例えば、物体までの距離、物体の方位角または物体の相対速度等の物体に関する情報が含まれる。
【００１５】
センサ１として、例えば、物体から放射された光、電磁波等の検出波を受信し、受信した検出波に対して信号処理、画像処理等の処理が行われることで、その物体に関する情報を検出するタイプのセンサを用いればよい。センサ１として、物体に検出波を照射し、その物体から反射した検出波を受信し、受信した検出波に対して処理が行われることで、その物体に関する情報を検出するタイプのセンサを用いてもよい。具体的には、センサ１として、例えば、ミリ波レーダ、レーザレーダ、超音波センサ、赤外線センサ、光学カメラ等を用いることができる。
【００１６】
センサ１の自車への搭載位置、およびセンサ１の検出範囲は、既知であるものとする。また、センサ１の自車への搭載位置等は任意に設定することができる。
【００１７】
センサ１によって検出される物体データの数は、そのセンサ１の検出範囲に存在する物体の数と同数である。すなわち、センサ１において、検出範囲に１つの物体が存在する場合、センサ１によって検出される物体データの数は１である。また、センサ１において、検出範囲に複数の物体が存在する場合、センサ１によって検出される物体データの数は、その検出範囲に存在する複数の物体の数と同数である。
【００１８】
車両情報センサ２は、自車に関する情報を自車データとして検出し、その自車データを物体認識装置３に送信する。なお、自車データには、例えば、自車の速度、車輪速、ステアリング角、ヨーレート等の情報が含まれる。車両情報センサ２は、ＧＰＳ（Ｇｌｏｂａｌ  Ｐｏｓｉｔｉｏｎｉｎｇ  Ｓｙｓｔｅｍ）を用いて、自車の緯度、経度または進行方向を、自車データとして検出するように構成されていてもよい。
【００１９】
物体認識装置３は、関連時刻が同じである複数の物体データからなる検出データ群をセンサ１から受信し、受信した検出データ群に含まれる複数の物体データに個別に対応する各物体の航跡データを生成する。
【００２０】
物体認識装置３は、時刻計測部３１、データ受信部３２、データ記憶部３３、予測処理部３４、相関処理部３５および更新処理部３６を備える。物体認識装置３は、例えば、演算処理を実行するマイクロコンピュータと、プログラムデータ、固定値データ等のデータを記憶するＲＯＭ（Ｒｅａｄ  Ｏｎｌｙ  Ｍｅｍｏｒｙ）と、格納されているデータを更新して順次書き換えられるＲＡＭ（Ｒａｎｄｏｍ  Ａｃｃｅｓｓ  Ｍｅｍｏｒｙ）と、データを送受信する通信機と、時間を計測するタイマによって実現される。
【００２１】
時刻計測部３１は、物体認識装置３において時刻を計測する。データ受信部３２は、Ｎ個のセンサ１のそれぞれから物体データを受信し、車両情報センサ２から自車データを受信する。データ受信部３２は、必要に応じて、自車データを用いて、物体データを加工する。データ受信部３２は、物体データの送信元であるセンサ１によってその物体データが検出された時刻である関連時刻を確定し、確定した関連時刻を、その物体データに関連付ける。なお、関連時刻を確定する具体的な方法は、特許文献１に開示されている。
【００２２】
このように、データ受信部３２は、センサ１から検出データ群を受信し、受信した検出データ群に含まれる物体データに関連時刻を関連付ける。データ受信部３２は、関連時刻を関連付けた物体データを、相関処理部３５および予測処理部３４にそれぞれ出力する。
【００２３】
ここで、関連時刻が同じ複数の物体データからなる検出データ群に含まれる全ての物体データを物体認識装置３が受信するタイミングと、物体認識装置３がデータ処理を開始するタイミングとの関係について、図２を参照しながら説明する。図２は、本発明の実施の形態１における物体認識装置３が検出データ群に含まれる全ての物体データを受信するタイミングと、物体認識装置３がデータ処理を開始するタイミングとの関係を示す説明図である。
【００２４】
なお、図２では、物体認識装置３がデータ処理を開始する時刻（以下、処理時刻と称す）Ｔｋの一例として、処理時刻Ｔ０〜Ｔ４が図示されている。また、図２では、或る１つのセンサ１が、検出範囲に存在する５つの物体＃１〜＃５に個別に対応する５つの物体データ＃１〜＃５を同じ時刻に検出し、検出した物体データ＃１〜＃５からなる検出データ群をデータ受信部３２に送信する一連の処理を繰り返し行う場合を例示している。
【００２５】
さらに、図２では、対応する関連時刻がそれぞれ異なる複数の検出データ群Ｇの一例として、Ｇ１〜Ｇ４が図示されている。検出データ群Ｇ１は、関連時刻Ｔｓ１に対応する物体データ＃１〜＃５からなる。検出データ群Ｇ２は、関連時刻Ｔｓ２に対応する物体データ＃１〜＃５からなる。検出データ群Ｇ３は、関連時刻Ｔｓ３に対応する物体データ＃１〜＃５からなる。検出データ群Ｇ４は、関連時刻Ｔｓ４に対応する物体データ＃１〜＃５からなる。
【００２６】
センサ１は、同じ時刻に検出した物体データ＃１〜＃５からなる検出データ群Ｇを物体認識装置３に送信する。特に、センサ１は、ＣＡＮ（Ｃｏｎｔｒｏｌ  Ａｒｅａ  Ｎｅｔｗｏｒｋ）、Ｅｔｈｅｒｎｅｔ（登録商標）などの車載ネットワークを介して物体認識装置３にデータ送信を行うように構成される場合、センサ１は、物体単位でＣＡＮフレームまたはＩＰパケットを構成し、物体ごとに物体データを送信する。具体的には、図２に示すように、センサ１は、検出データ群Ｇを送信する際、この群に含まれる物体データ＃１〜＃５を１つずつ順番にデータ受信部３２に送信する。
【００２７】
このように、センサ１は、検出データ群Ｇを送信する際に、物体データ＃１〜＃５を１つずつ順番に送信すると、データ受信部３２は、これらの物体データ＃１〜＃５を１つずつ順番に受信する。データ受信部３２は、受信したこれらの物体データ＃１〜＃５に同じ関連時刻を関連付ける。
【００２８】
上述の場合、第１のケースとして、処理時刻Ｔｋよりも先に検出データ群Ｇに含まれる全ての物体データ＃１〜＃５が受信された状態となっているケースが考えられる。このケースでは、検出データ群Ｇの中の処理時刻Ｔｋよりも先に受信した物体データ＃１〜＃５は、処理時刻Ｔｋで関連時刻と関連付けられる。
【００２９】
第１のケースの具体例では、図２に示すように、処理時刻Ｔ１よりも先に検出データ群Ｇ１に含まれる全ての物体データ＃１〜＃５が受信されている。この場合、物体データ＃１〜＃５は、処理時刻Ｔ１で関連時刻Ｔｓ１と関連付けられる。
【００３０】
第２のケースとして、処理時刻Ｔｋよりも先に検出データ群Ｇに含まれる全ての物体データ＃１〜＃５が受信されていない状態となっているケースが考えられる。このケースでは、検出データ群Ｇの中の処理時刻Ｔｋよりも先に受信した物体データは、処理時刻Ｔｋで関連時刻と関連付けられ、検出データ群Ｇの中の処理時刻Ｔｋよりも後で受信した残りの物体データは、処理時刻Ｔｋよりも後の処理時刻で関連時刻と関連付けられる。
【００３１】
第２のケースの具体例では、図２に示すように、処理時刻Ｔ２よりも先に検出データ群Ｇ２に含まれる物体データ＃１〜＃３が受信され、処理時刻Ｔ２よりも後に検出データ群Ｇ２に含まれる残りの物体データ＃４，＃５が受信されている。この場合、物体データ＃１〜＃３は、処理時刻Ｔ２で関連時刻Ｔｓ２と関連付けられ、物体データ＃４，＃５は、処理時刻Ｔ３で関連時刻Ｔｓ２と関連付けられる。
【００３２】
ここで、比較例として、図２に示す状況において、今回の処理時刻Ｔｋにおいて、或るセンサから送信される検出データ群の中の全ての物体データが受信されていなければ、全ての物体データが受信されるまで、この検出データ群の処理が待機される場合を考える。この場合、検出データ群の中の全ての物体データが受信された以降の処理時刻において、この検出データ群の処理が開始される。
【００３３】
したがって、このような比較例では、検出データ群の中の全ての物体データが受信されるまで待機となるので、この検出データ群の処理が遅れ、結果として、物体認識装置３の出力の応答性が低下することが考えられる。このような出力の応答性の低下が発生すると、緊急自動ブレーキなどの予防安全システムの動作が遅れる可能性がある。
【００３４】
そこで、本実施の形態１では、物体認識装置は、今回の処理時刻Ｔｋにおいて、検出データ群の中の一部の物体データが受信された場合であっても、全ての物体データの受信が完了するまで待機することなく、航跡データが更新されるように構成されている。したがって、物体認識装置３の出力の応答性を確保することができる。
【００３５】
図１の説明に戻り、データ記憶部３３は、必要に応じて、データ受信部３２が受信した物体データを記憶する。
【００３６】
予測処理部３４は、後述する更新処理部３６によって出力される航跡データと、データ受信部３２から入力される関連時刻を入力として、その関連時刻における航跡データを予測し、その予測結果を予測データとして生成する。なお、関連時刻における航跡データを予測する方法としては、公知の技術を適用すればよく、ここでは当該方法の詳細な説明を省略する。
【００３７】
なお、航跡データには、センサ１によって検出された物体の状態値が含まれる。物体の状態値とは、センサ１によって検出された物体の位置、速度、加速度、種別等の情報である。
【００３８】
相関処理部３５は、データ受信部３２によって出力される物体データと、予測処理部３４によって出力される予測データを入力として、物体データと予測データの対応関係を決定する。相関処理部３５は、決定した対応関係とともに、物体データと予測データとをまとめた相関データを更新処理部３６に出力する。
【００３９】
更新処理部３６は、相関処理部３５によって出力される相関データを入力として、相関データに含まれる、対応する物体データおよび予測データを用いて、航跡データを更新する。更新処理部３６は、その航跡データを予測処理部３４、情報報知装置４および車両制御装置５に出力する。
【００４０】
情報報知装置４は、更新処理部３６によって出力される航跡データを入力として、その航跡データに従って情報を視覚的ないし聴覚的に報知する。例えば、情報報知装置４は、航跡データから、自車と前方車両との衝突を予想した場合、警報器が警報を鳴らすように制御したり、ディスプレイがその旨を表示するように制御したりする。
【００４１】
車両制御装置５は、更新処理部３６によって出力される航跡データを入力として、その航跡データに従って車両の動作を制御する。例えば、車両制御装置５は、航跡データから、自車と前方車両との衝突を回避できないと判断した場合、ブレーキを作動させる制御を行う。
【００４２】
次に、本実施の形態１における物体認識装置３によって行われるデータ処理の動作について、図３を参照しながら説明する。図３は、本発明の実施の形態１における物体認識装置３によって行われるデータ処理の一連の動作を示すフローチャートである。なお、物体認識装置３は、或る動作周期で、以下の動作を繰り返し行う。図３では、上述した処理時刻Ｔｋでデータ処理が開始される場合について示している。
【００４３】
ステップＳ１０１において、データ受信部３２は、各センサ１について、前回の処理時刻Ｔｋ−１から今回の処理時刻Ｔｋまでの間に受信した物体データをチェックする。その後、処理がステップＳ１０２へと進む。
【００４４】
ステップＳ１０２において、データ受信部３２は、各センサ１について、以下の関連時刻確定処理を行い、その後、処理がステップＳ１０３へと進む。
【００４５】
すなわち、データ受信部３２は、検出データ群Ｇの中で、時系列的に最も先に受信した先頭の物体データに関連付ける関連時刻を確定する。データ受信部３２は、確定した関連時刻をその先頭の物体データに関連付ける。データ受信部３２は、検出データ群Ｇの中の受信した残りの物体データにも先頭の物体データと同じ関連時刻を関連付ける。
【００４６】
以下のステップＳ１０３〜ステップＳ１１３の一連の処理は、各センサ１について行われる。このような処理は、例えば、処理時刻Ｔｋ−１から処理時刻Ｔｋまでの間に受信した物体データの中の、対応する関連時刻が古い物体データを送信したセンサ１から順番に行われる。
【００４７】
ステップＳ１０３において、データ受信部３２は、「使用済」にマークされていない物体データ、すなわち、未使用の物体データが存在するか否かを判定する。なお、未使用の物体データとしては、「使用済」および「保留中」のいずれにもマークされていない物体データ（以下、未マーク物体データと称す）と、「保留中」にのみマークされている物体データ（以下、保留物体データと称す）とが挙げられる。
【００４８】
ステップＳ１０３での判定の結果、未使用の物体データが存在すると判定された場合には、処理がステップＳ１０４へと進み、そうでないと判定された場合には、処理が終了となる。なお、処理時刻Ｔｋ−１から処理時刻Ｔｋまでの間に受信した物体データは、全て未マーク物体データである。
【００４９】
ステップＳ１０４において、予測処理部３４は、各物体について、以下の予測処理を行い、その後、処理がステップＳ１０５へと進む。
【００５０】
すなわち、予測処理部３４は、未使用の物体データに対応する今回の関連時刻よりも前の前回の関連時刻における航跡データを用いて、今回の関連時刻における航跡データの予測値である予測データを生成する。
【００５１】
このように、予測処理部３４は、各物体について、関連時刻における航跡データの予測値である予測データを生成する。
【００５２】
ステップＳ１０５において、データ受信部３２は、検出データ群Ｇの中の物体データを全て受信したか否かを判定する。その判定の結果、検出データ群Ｇの中の物体データを全て受信したと判定された場合には、処理がステップＳ１０６へと進み、そうでないと判定された場合には、処理がステップＳ１０９へと進む。
【００５３】
ここで、検出データ群に含まれる全ての物体データを受信したか否かを判定する方法としては、以下の例が挙げられる。
【００５４】
第１の例として、データ受信部３２は、検出データ群に含まれる物体データの数が固定であることが前提である場合、検出データ群に含まれる最後に送信される物体データを受信したか否かの結果によって、上記の判定を行う。すなわち、データ受信部３２は、検出データ群に含まれる最後に送信される物体データを受信していれば、検出データ群に含まれる全ての物体データを受信したと判定する。一方、データ受信部３２は、検出データ群に含まれる最後に送信される物体データを受信していなければ、検出データ群に含まれる全ての物体データを受信していないと判定する。
【００５５】
第２の例として、検出データ群に含まれる物体データの数が可変であることが前提である場合、センサ１は、検出データ群を送信する前に、その検出データ群に含まれる物体データの数であるデータ数を示すデータを最初に送信する。データ受信部３２は、データ数を示すデータを最初に受信し、そのデータ数の分だけ物体データを受信したか否かの結果によって、上記の判定を行う。すなわち、データ受信部３２は、データ数の分だけ物体データを受信していれば、検出データ群に含まれる全ての物体データを受信したと判定する。一方、データ受信部３２は、データ数の分だけ物体データを受信していなければ、検出データ群に含まれる全ての物体データを受信していないと判定する。
【００５６】
第３の例として、センサ１は、検出データ群に含まれる最後に送信する物体データにフラグを付与する。データ受信部３２は、フラグが付与された物体データを受信したか否かの結果によって、上記の判定を行う。すなわち、データ受信部３２は、フラグが付与された物体データを受信していれば、検出データ群に含まれる全ての物体データを受信したと判定する。一方、データ受信部３２は、フラグが付与された物体データを受信していなければ、検出データ群に含まれる全ての物体データを受信していないと判定する。
【００５７】
ステップＳ１０６において、相関処理部３５は、各物体について、以下の相関決定を行い、その後、処理がステップＳ１０７へと進む。
【００５８】
すなわち、相関処理部３５は、関連時刻における物体データと関連時刻における予測データとを個別に対応付けることで、物体データと予測データとの対応関係を決定する。
【００５９】
なお、相関処理部３５は、物体データと予測データとの対応関係を、例えば、ＳＮＮ（Ｓｉｍｐｌｅ  Ｎｅａｒｅｓｔ  Ｎｅｉｇｈｂｏｒ）アルゴリズム、ＭＨＴ（Ｍｕｌｔｉｐｌｅ  Ｈｙｐｏｔｈｅｓｉｓ  Ｔｒａｃｋｉｎｇ）アルゴリズム、ＧＮＮ（Ｇｌｏｂａｌ  Ｎｅａｒｅｓｔ  Ｎｅｉｇｈｂｏｒ）アルゴリズム、ＪＰＤＡ（Ｊｏｉｎｔ  Ｐｒｏｂａｂｉｌｉｓｔｉｃ  Ｄａｔａ  Ａｓｓｏｃｉａｔｉｏｎ）アルゴリズムなどを用いて決定する。
【００６０】
このように、相関処理部３５は、各物体について、関連時刻における物体データと関連時刻における予測データとを個別に対応付ける。
【００６１】
ステップＳ１０７において、更新処理部３６は、各物体について、ステップＳ１０６で対応関係を決定した物体データおよび予測データを用いて、以下の更新処理を行い、その後、処理がステップＳ１０８へと進む。
【００６２】
すなわち、更新処理部３６は、対応する物体データおよび予測データを用いて、前回の関連時刻における航跡データを更新することで、今回の関連時刻における航跡データを生成する。
【００６３】
なお、更新処理部３６は、例えば、最小二乗法、カルマンフィルタ、粒子フィルタなどを用いて、航跡データを更新する。
【００６４】
このように、更新処理部３６は、各物体について、関連時刻における対応する物体データおよび予測データを用いて、関連時刻における航跡データを生成する。
【００６５】
ステップＳ１０８において、データ受信部３２は、未使用の物体データを「使用済」にマークする。その後、処理がステップＳ１０３へと戻る。
【００６６】
ステップＳ１０９において、相関処理部３５は、未使用の物体データの中で、相関決定可能とみなすものと、相関決定可能とみなさないものとに分類する。その後、処理がステップＳ１１０へと進む。
【００６７】
ここで、物体データについて、相関決定可能であるとみなす方法としては、以下の例が挙げられる。
【００６８】
すなわち、第１の例（１）として、相関処理部３５は、予測データに対応する通常のゲートよりも小さい小ゲートを設定し、小ゲート内に入る物体データを、相関決定可能であるとみなす。このような小ゲート内に物体データが入れば、後で残りの物体データを受信しても相関結果が変わらないので、小ゲート内に入った物体データが相関決定可能とみなされる。なお、小ゲートの大きさは、航跡データの予測値、すなわち、予測データに含まれる物体の大きさ情報から決定される。
【００６９】
図４Ａ〜図４Ｆは、本発明の実施の形態１における物体データの受信と相関決定の第１〜第６のパターンを示す説明図である。図４Ａに示すパターンは、処理時刻Ｔｋよりも先に受信した物体データが小ゲート内にあり、処理時刻Ｔｋよりも後で受信する物体データが小ゲート外にあるパターンである。図４Ｂは、処理時刻Ｔｋよりも先に受信した物体データと、処理時刻Ｔｋよりも後で受信する物体データとがともに小ゲート内にあり、先に受信した物体データの方が予測データに近いパターンである。
【００７０】
図４Ｃは、処理時刻Ｔｋよりも先に受信した物体データと、処理時刻Ｔｋよりも後で受信する物体データとがともに小ゲート内にあり、後で受信する物体データの方が予測データに近いパターンである。図４Ｄは、処理時刻Ｔｋよりも先に受信した物体データが小ゲート外にあり、処理時刻Ｔｋよりも後で受信する物体データが小ゲート内にあるパターンである。
【００７１】
図４Ｅは、処理時刻Ｔｋよりも先に受信した物体データと、処理時刻Ｔｋよりも後で受信する物体データとがともに小ゲート外にあり、先に受信した物体データの方が予測データに近いパターンである。図４Ｆは、処理時刻Ｔｋよりも先に受信した物体データと、処理時刻Ｔｋよりも後で受信する物体データとがともに小ゲート外にあり、後で受信する物体データの方が予測データに近いパターンである。
【００７２】
図４Ａ〜図４Ｃに示すパターンでは、先に受信した物体データと予測データとの相関は、後で受信する物体データを受信する前に決定される。結果として、図４Ｃに示すパターンでは、相関が間違っている。ただし、小ゲートが十分小さければ、先に受信した物体データと後で受信する物体データとのいずれと相関しても、航跡データの精度に与える影響を無視できる。要すれば、以下の第２の例（２）〜第５の例（５）の少なくとも１つと組み合わせることで、相関の間違いが回避される。
【００７３】
一方、図４Ｄ〜図４Ｆに示すパターンでは、先に受信した物体データが小ゲート内にないので、後で受信する物体データを受信するのを待ってから、予測データとの相関が決定される。この場合、相関が間違っていることがないものの、両方の物体データが受信されるまでは、相関決定が保留される。
【００７４】
第２の例（２）として、相関処理部３５は、予測データに含まれるＩＤ（ｉｄｅｎｔｉｆｉｃａｔｉｏｎ）と、受信した物体データに含まれるＩＤとが同じであれば、その物体データが相関決定可能であるとみなす。例えば、各センサで管理しているトラッキング結果が利用される。このように、相関処理部３５は、予測データに含まれるＩＤと同じＩＤを含む物体データを、相関決定が可能であるとみなす。
【００７５】
第３の例（３）として、相関処理部３５は、予測データに含まれる物体種別と、受信した物体データに含まれる物体種別とが同じであれば、その物体データが相関決定可能であるとみなす。物体種別としては、例えば、車、歩行者などが挙げられる。このように、相関処理部３５は、予測データに含まれる種別と同じ種別を含む物体データを、相関決定が可能であるとみなす。
【００７６】
第４の例（４）として、後段システムにとって重要度の高い場合、例えば車間維持制御で追従中であるなどの場合、相関処理部３５は、受信した物体データが相関決定可能であるとみなす。例えば、相関処理部３５は、予測データに対応する物体から自車までの距離が設定閾値以内である物体データを、相関決定が可能であるとみなす。また、例えば、相関処理部３５は、予測データに対応する物体に自車が衝突するまでの衝突予測時間が設定閾値以内である物体データを、相関決定可能であるとみなす。さらに、例えば、相関処理部３５は、自車に搭載される車両制御装置のシステム優先度が設定閾値以上である物体データ、相関決定可能であるとみなす。
【００７７】
第５の例（５）として、相関処理部３５は、識別結果、センサ種類、物体データ信頼度、物体データ検出時間および補間回数のいずれかに基づいて、受信した物体データを、相関決定可能とみなす。例えば、識別結果が車である場合、センサ種類が光学カメラである場合、または、物体データ信頼度が設定閾値以上である場合、相関処理部３５は、物体データを相関決定可能とみなす。
【００７８】
このように、相関処理部３５は、今回の処理時刻Ｔｋにおいて、検出データ群Ｇの中の全ての物体データが受信されておらず、一部の物体データが受信されている状態であれば、一部の物体データについて、相関決定可能とみなすものと、相関決定可能とみなさないものとに分類する。
【００７９】
ステップＳ１１０において、各物体について、ステップＳ１０６と同様に以下の相関決定を行う。その後、処理がステップＳ１１１へと進む。
【００８０】
すなわち、相関処理部３５は、相関決定可能とみなされた物体データと、予測データとを個別に対応付けることで、物体データと予測データとの対応関係を決定する。
【００８１】
このように、相関処理部３５は、相関決定可能とみなされた物体データと予測データとを個別に対応付けする。また、相関処理部３５は、相関決定可能とみなされなかった物体データを保留物体データとする。今回の処理時刻Ｔｋ以降の次回の処理時刻において、検出データ群Ｇの中の残りの物体データが受信されている状態であれば、残りの物体データとともに保留物体データと、予測データとを個別に対応付けする。
【００８２】
ステップＳ１１１において、更新処理部３６は、各物体について、ステップＳ１１０で対応関係を決定した物体データおよび予測データを用いて、ステップＳ１０７と同様に以下の更新処理を行う。その後、処理がステップＳ１１２へと進む。
【００８３】
すなわち、更新処理部３６は、対応する物体データおよび予測データを用いて、前回の関連時刻における航跡データを更新することで、今回の関連時刻における航跡データを生成する。
【００８４】
ステップＳ１１２において、データ受信部３２は、ステップＳ１０９で相関決定可能とみなされた物体データを「使用済」にマークする。その後、処理がステップＳ１１３へと進む。
【００８５】
ステップＳ１１３において、データ受信部３２は、ステップＳ１０９で相関決定可能とみなされなかった物体データを「保留中」にマークする。データ記憶部３３は、「保留中」にマークされている物体データを記憶する。その後、処理がステップＳ１０３へと戻る。なお、データ受信部３２は、今回の処理時刻Ｔｋよりも後に、データ記憶部３３が記憶する保留物体データと関連時刻が同じ物体データを受信すれば、その保留物体データが相関処理部３５に入力される。
【００８６】
以上、本実施の形態１によれば、物体認識装置は、今回の処理時刻において、検出データ群の中の全ての物体データが受信されておらず、一部の物体データが受信されている状態であれば、一部の物体データについて、相関決定可能とみなすものと、相関決定可能とみなさないものとに分類するように構成されている。また、物体認識装置は、相関決定可能とみなされた物体データと予測データとを個別に対応付けし、相関決定可能とみなされなかった物体データを保留物体データとするように構成されている。さらに、物体認識装置は、今回の処理時刻以降の次回の処理時刻において、検出データ群の中の残りの物体データが受信されている状態であれば、残りの物体データとともに保留物体データと、予測データとを個別に対応付けするように構成されている。
【００８７】
これにより、関連時刻が同じ複数の物体データからなる検出データ群に含まれる全ての物体データが受信されるタイミングと、データ処理が開始されるタイミングとの関係を考慮して、航跡データを生成することができる。
【００８８】
実施の形態２．
本発明の実施の形態２では、先の実施の形態１に対して、データ処理の方法が異なる物体認識装置３について説明する。なお、本実施の形態２では、先の実施の形態１と同様である点の説明を省略し、先の実施の形態１と異なる点を中心に説明する。
【００８９】
図５は、本発明の実施の形態２における物体認識装置３によって行われるデータ処理の一連の動作を示すフローチャートである。
【００９０】
ここで、本実施の形態２における物体認識装置３は、検出データ群に含まれる全ての物体データを受信していない場合、先の実施の形態１と同様の処理を行う。ただし、相関決定は仮のものとする。また、物体認識装置３は、検出データ群に含まれる全ての物体データを受信した場合、仮決定した相関に関わらず、改めて全ての物体データを用いて相関決定する。つまり、物体認識装置３は、二重系の処理を行う。
【００９１】
ステップＳ２０１〜ステップＳ２０５の処理は、先の図３のステップＳ１０１〜ステップＳ１０５の処理と同様である。
【００９２】
ステップＳ２０６において、相関処理部３５は、各物体について、以下の相関決定を行い、その後、処理がステップＳ２０７へと進む。
【００９３】
すなわち、相関処理部３５は、物体データと予測データとを個別に対応付けることで、物体データと予測データとの対応関係を決定する。仮決定した相関から変更がない場合、具体的には、予測データのゲート内に複数の物体データが入らなかった場合などでは、該当する物体データと航跡データは仮決定のままとすることで処理負荷を低減できる。
【００９４】
ステップＳ２０７の処理は、先の図３のステップＳ１０７の処理と同様である。
【００９５】
ステップＳ２０８において、相関処理部３５は、未使用の物体データの中で、相関決定可能とみなすものと、相関決定可能とみなさないものとに分類する。その後、処理がステップＳ２０９へと進む。
【００９６】
このように、相関処理部３５は、今回の処理時刻Ｔｋにおいて、検出データ群Ｇの中の全ての物体データが受信されておらず、一部の物体データが受信されている状態であれば、一部の物体データについて、相関決定可能とみなすものと、相関決定可能とみなさないものとに分類する。
【００９７】
ステップＳ２０９において、各物体について、以下の相関仮決定を行い、その後、処理がステップＳ２１０へと進む。
【００９８】
すなわち、相関処理部３５は、相関決定可能とみなされた物体データと、予測データとを個別に対応付けることで、物体データと予測データとの対応関係を仮決定する。
【００９９】
このように、相関処理部３５は、相関決定可能とみなされた物体データと予測データとを個別に仮に対応付けする。また、相関処理部３５は、今回の処理時刻Ｔｋ以降の次回の処理時刻において、検出データ群Ｇの中の残りの物体データが受信されている状態であれば、検出データ群の中の全ての物体データと、予測データとを個別に対応付けする。
【０１００】
ステップＳ２１０の処理は、先の図３のステップＳ１１１の処理と同様である。
【０１０１】
以上、本実施の形態２によれば、物体認識装置は、今回の処理時刻において、検出データ群の中の全ての物体データが受信されておらず、一部の物体データが受信されている状態であれば、一部の物体データについて、相関決定可能とみなすものと、相関決定可能とみなさないものとに分類するように構成されている。また、物体認識装置は、相関決定可能とみなされた物体データと予測データとを個別に仮に対応付けするように構成されている。さらに、物体認識装置は、今回の処理時刻以降の次回の処理時刻において、検出データ群の中の残りの物体データが受信されている状態であれば、検出データ群の中の全ての物体データと、予測データとを個別に対応付けするように構成されている。このように構成した場合であっても、先の実施の形態１と同様の効果が得られる。
【０１０２】
なお、実施の形態では、センサ１の個数が複数である場合を例示したが、これに限定されず、センサ１の個数が単数であっても、本発明が成立する。
【符号の説明】
【０１０３】
１  センサ、２  車両情報センサ、３  物体認識装置、４  情報報知装置、５  車両制御装置、３１  時刻計測部、３２  データ受信部、３３  データ記憶部、３４  予測処理部、３５  相関処理部、３６  更新処理部。
【図１】
2019207158.tif 000003
【図２】
2019207158.tif 000004
【図３】
2019207158.tif 000005
【図４Ａ】
2019207158.tif 000006
【図４Ｂ】
2019207158.tif 000007
【図４Ｃ】
2019207158.tif 000008
【図４Ｄ】
2019207158.tif 000009
【図４Ｅ】
2019207158.tif 000010
【図４Ｆ】
2019207158.tif 000011
【図５】
2019207158.tif 000012
【手続補正書】
【提出日】令和1年6月17日(2019.6.17)
【手続補正１】
【補正対象書類名】明細書
【補正対象項目名】０００７
【補正方法】変更
【補正の内容】
【０００７】
本発明における物体認識装置は、関連時刻が同じである複数の物体データからなる検出データ群をセンサから受信し、受信した検出データ群に含まれる複数の物体データに個別に対応する各物体の航跡データを生成する物体認識装置であって、センサから検出データ群を受信し、受信した検出データ群に関連時刻を関連付けるデータ受信部と、各物体について、関連時刻における航跡データの予測値を含む予測データを生成する予測処理部と、各物体について、関連時刻における物体データと関連時刻における予測データとを個別に対応付ける相関処理部と、各物体について、関連時刻における対応する物体データおよび予測データを用いて、関連時刻における航跡データを生成する更新処理部と、を備え、相関処理部は、今回の処理時刻において、検出データ群の中の全ての物体データがデータ受信部で受信されておらず、一部の物体データがデータ受信部で受信されている状態であれば、一部の物体データについて、相関決定可能とみなすものと、相関決定可能とみなさないものとに分類し、相関決定可能とみなされた物体データと予測データとを個別に対応付けし、相関決定可能とみなされなかった物体データを保留物体データとし、今回の処理時刻以降の次回の処理時刻において、検出データ群の中の残りの物体データがデータ受信部で受信されている状態であれば、残りの物体データとともに保留物体データと、予測データとを個別に対応付けするものである。
【手続補正２】
【補正対象書類名】明細書
【補正対象項目名】０００８
【補正方法】変更
【補正の内容】
【０００８】
本発明における物体認識方法は、関連時刻が同じである複数の物体データからなる検出データ群をセンサから受信し、受信した検出データ群に含まれる複数の物体データに個別に対応する各物体の航跡データを生成する物体認識方法であって、センサから検出データ群を受信し、受信した検出データ群に関連時刻を関連付けるデータ受信ステップと、各物体について、関連時刻における航跡データの予測値を含む予測データを生成する予測処理ステップと、各物体について、関連時刻における物体データと関連時刻における予測データとを個別に対応付ける相関処理ステップと、各物体について、関連時刻における対応する物体データおよび予測データを用いて、関連時刻における航跡データを生成する更新処理ステップと、を備え、相関処理ステップでは、今回の処理時刻において、検出データ群の中の全ての物体データがデータ受信ステップで受信されておらず、一部の物体データがデータ受信ステップで受信されている状態であれば、一部の物体データについて、相関決定可能とみなすものと、相関決定可能とみなさないものとに分類し、相関決定可能とみなされた物体データと予測データとを個別に対応付けし、相関決定可能とみなされなかった物体データを保留物体データとし、今回の処理時刻以降の次回の処理時刻において、検出データ群の中の残りの物体データがデータ受信ステップで受信されている状態であれば、残りの物体データとともに保留物体データと、予測データとを個別に対応付けするものである。
【手続補正３】
【補正対象書類名】特許請求の範囲
【補正対象項目名】全文
【補正方法】変更
【補正の内容】
【特許請求の範囲】
【請求項１】
関連時刻が同じである複数の物体データからなる検出データ群をセンサから受信し、受信した前記検出データ群に含まれる前記複数の物体データに個別に対応する各物体の航跡データを生成する物体認識装置であって、
前記センサから前記検出データ群を受信し、受信した前記検出データ群に前記関連時刻を関連付けるデータ受信部と、
各物体について、前記関連時刻における前記航跡データの予測値を含む予測データを生成する予測処理部と、
各物体について、前記関連時刻における前記物体データと前記関連時刻における前記予測データとを個別に対応付ける相関処理部と、
各物体について、前記関連時刻における対応する前記物体データおよび前記予測データを用いて、前記関連時刻における前記航跡データを生成する更新処理部と、
を備え、
前記相関処理部は、
今回の処理時刻において、前記検出データ群の中の全ての物体データが前記データ受信部で受信されておらず、一部の物体データが前記データ受信部で受信されている状態であれば、前記一部の物体データについて、相関決定可能とみなすものと、相関決定可能とみなさないものとに分類し、前記相関決定可能とみなされた物体データと前記予測データとを個別に対応付けし、前記相関決定可能とみなされなかった物体データを保留物体データとし、
前記今回の処理時刻以降の次回の処理時刻において、前記検出データ群の中の残りの物体データが前記データ受信部で受信されている状態であれば、前記残りの物体データとともに前記保留物体データと、前記予測データとを個別に対応付けする
物体認識装置。
【請求項２】
関連時刻が同じである複数の物体データからなる検出データ群をセンサから受信し、受信した前記検出データ群に含まれる前記複数の物体データに個別に対応する各物体の航跡データを生成する物体認識装置であって、
前記センサから前記検出データ群を受信し、受信した前記検出データ群に前記関連時刻を関連付けるデータ受信部と、
各物体について、前記関連時刻における前記航跡データの予測値を含む予測データを生成する予測処理部と、
各物体について、前記関連時刻における前記物体データと前記関連時刻における前記予測データとを個別に対応付ける相関処理部と、
各物体について、前記関連時刻における対応する前記物体データおよび前記予測データを用いて、前記関連時刻における前記航跡データを生成する更新処理部と、
を備え、
前記相関処理部は、
今回の処理時刻において、前記検出データ群の中の全ての物体データが前記データ受信部で受信されておらず、一部の物体データが前記データ受信部で受信されている状態であれば、前記一部の物体データについて、相関決定可能とみなすものと、相関決定可能とみなさないものとに分類し、前記相関決定可能とみなされた物体データと前記予測データとを個別に仮に対応付けし、
前記今回の処理時刻以降の次回の処理時刻において、前記検出データ群の中の残りの物体データが前記データ受信部で受信されている状態であれば、前記検出データ群の中の全ての物体データと、前記予測データとを個別に対応付けする
物体認識装置。
【請求項３】
前記相関処理部は、
前記予測データに対応する通常のゲートよりも小さい小ゲートを設定し、前記小ゲート内に入る物体データを、相関決定が可能であるとみなす
請求項１または２に記載の物体認識装置。
【請求項４】
前記予測処理部は、各物体の大きさ情報を含むように前記予測データを生成し、
前記相関処理部は、
前記予測データに含まれる物体の前記大きさ情報から、前記小ゲートを設定する
請求項３に記載の物体認識装置。
【請求項５】
前記予測処理部は、各物体のＩＤを含むように前記予測データを生成し、
前記相関処理部は、
前記予測データに含まれる前記ＩＤと同じＩＤを含む物体データを、相関決定が可能であるとみなす
請求項１から４のいずれか１項に記載の物体認識装置。
【請求項６】
前記予測処理部は、各物体の種別を含むように前記予測データを生成し、
前記相関処理部は、
前記予測データに含まれる前記種別と同じ種別を含む物体データを、相関決定が可能であるとみなす
請求項１から５のいずれか１項に記載の物体認識装置。
【請求項７】
前記相関処理部は、
前記予測データに対応する物体から自車までの距離が設定閾値以内である、前記予測データに対応する物体に前記自車が衝突するまでの衝突予測時間が設定閾値以内である、あるいは、前記自車に搭載される車両制御装置のシステム優先度が設定閾値以上である、物体データを、相関決定が可能であるとみなす
請求項１から６のいずれか１項に記載の物体認識装置。
【請求項８】
前記相関処理部は、
物体種類識別結果、センサ種類、物体データ信頼度、物体データ検出時間および補間回数のいずれかに基づいて、物体データを、相関決定が可能であるとみなす
請求項１から７のいずれか１項に記載の物体認識装置。
【請求項９】
関連時刻が同じである複数の物体データからなる検出データ群をセンサから受信し、受信した前記検出データ群に含まれる前記複数の物体データに個別に対応する各物体の航跡データを生成する物体認識方法であって、
前記センサから前記検出データ群を受信し、受信した前記検出データ群に前記関連時刻を関連付けるデータ受信ステップと、
各物体について、前記関連時刻における前記航跡データの予測値を含む予測データを生成する予測処理ステップと、
各物体について、前記関連時刻における前記物体データと前記関連時刻における前記予測データとを個別に対応付ける相関処理ステップと、
各物体について、前記関連時刻における対応する前記物体データおよび前記予測データを用いて、前記関連時刻における前記航跡データを生成する更新処理ステップと、
を備え、
前記相関処理ステップでは、
今回の処理時刻において、前記検出データ群の中の全ての物体データが前記データ受信ステップで受信されておらず、一部の物体データが前記データ受信ステップで受信されている状態であれば、前記一部の物体データについて、相関決定可能とみなすものと、相関決定可能とみなさないものとに分類し、前記相関決定可能とみなされた物体データと前記予測データとを個別に対応付けし、前記相関決定可能とみなされなかった物体データを保留物体データとし、
前記今回の処理時刻以降の次回の処理時刻において、前記検出データ群の中の残りの物体データが前記データ受信ステップで受信されている状態であれば、前記残りの物体データとともに前記保留物体データと、前記予測データとを個別に対応付けする
物体認識方法。
【請求項１０】
関連時刻が同じである複数の物体データからなる検出データ群をセンサから受信し、受信した前記検出データ群に含まれる前記複数の物体データに個別に対応する各物体の航跡データを生成する物体認識方法であって、
前記センサから前記検出データ群を受信し、受信した前記検出データ群に前記関連時刻を関連付けるデータ受信ステップと、
各物体について、前記関連時刻における前記航跡データの予測値を含む予測データを生成する予測処理ステップと、
各物体について、前記関連時刻における前記物体データと前記関連時刻における前記予測データとを個別に対応付ける相関処理ステップと、
各物体について、前記関連時刻における対応する前記物体データおよび前記予測データを用いて、前記関連時刻における前記航跡データを生成する更新処理ステップと、
を備え、
前記相関処理ステップでは、
今回の処理時刻において、前記検出データ群の中の全ての物体データが前記データ受信ステップで受信されておらず、一部の物体データが前記データ受信ステップで受信されている状態であれば、前記一部の物体データについて、相関決定可能とみなすものと、相関決定可能とみなさないものとに分類し、前記相関決定可能とみなされた物体データと前記予測データとを個別に仮に対応付けし、
前記今回の処理時刻以降の次回の処理時刻において、前記検出データ群の中の残りの物体データが前記データ受信ステップで受信されている状態であれば、前記検出データ群の中の全ての物体データと、前記予測データとを個別に対応付けする
物体認識方法。